(57)【要約】【課題】複数の液晶パネルを継ぎ合わせた大型の液晶パネルを用いて液晶表示装置において、液晶パネル同士の継ぎ目が目立つことによる表示への違和感の発生を抑えた液晶表示装置を提供することを課題とする。【解決手段】液晶パネル１１を継ぎ合わせた大型液晶パネル１０において、接続端面１１ａに最も近い画素列Ｘ１と隣り合う画素列Ｘ２との間の幅ｄｘ１を、画素列Ｘ１から接続側面１１ａまでの遮光領域の幅をｇの略２倍とすると共に、接続端面１１ａから離れるにしたがって画素列間の幅を短くしていくことにより、継ぎ目部分が目立ってしまうのを抑え、継ぎ目による違和感の発生を抑えることができる。【選択図】　　　　図１
2004037744.tif 000002
【特許請求の範囲】
【請求項１】
複数の液晶パネルを継ぎ合わせた液晶表示装置において、
一対の基板を貼り合せてなる前記液晶パネルは同じ大きさの画素によって縦方向に伸びる画素列Ｘ１、Ｘ２、・・・、Ｘｎと横方向に伸びる画素行Ｙ１、Ｙ２、・・・、Ｙｍを形成しており、
前記液晶パネルを継ぎ合わせる側の側面に最も近い前記画素列をＸ１、最も遠い前記画素列をＸｎとし、画素列Ｘ１から継ぎ合わせる側の側面までの幅をｇとすると、
前記画素列Ｘ１と隣り合う画素列Ｘ２との幅は略２ｇとなっていると共に、前記画素列Ｘ１から前記画素列Ｘｎに向かうにつれて画素列間の幅が短くなっていくことを特徴とする液晶表示装置。
【請求項２】
前記液晶パネルを継ぎ合わせる側の側面付近において、前記画素列間の幅は前記画素列Ｘ１から前記画素列Ｘｉ（１＜ｉ＜ｎ）に向かうにつれて短くなっており、前記画素列Ｘｉから画素列Ｘｎまでは一定であることを特徴とする請求項１記載の液晶表示装置。
【請求項３】
前記画素列Ｘｉはｎ／２の画素列よりも前記画素列Ｘ１寄りに位置していることを特徴とする請求項２記載の液晶表示装置。
【請求項４】
複数の液晶パネルを継ぎ合わせた液晶表示装置において、
一対の基板を貼り合せてなる前記液晶パネルは同じ大きさの画素によって縦方向に伸びる画素列Ｘ１、Ｘ２、・・・、Ｘｎと横方向に伸びる画素行Ｙ１、Ｙ２、・・・、Ｙｍを形成しており、
前記液晶パネルを継ぎ合わせる側の側面に最も近い前記画素行をＹ１、最も遠い前記画素行をＹｍとし、前記画素行Ｙ１から継ぎ合わせる側の側面までの幅をｇ´とすると、
前記画素行Ｙ１と隣り合う画素行Ｙ２との幅は略２ｇ´となっていると共に、前記画素行Ｙ１から前記画素行Ｙｍに向かうにつれて画素行間の幅が短くなっていくことを特徴とする液晶表示装置。
【請求項５】
前記液晶パネルを継ぎ合わせる側の側面付近において、前記画素行間の幅は前記画素行Ｙ１から前記画素行Ｙｊ（１＜ｊ＜ｍ）に向かうにつれて短くなっており、前記画素行Ｙｊから画素行Ｙｍまでは一定であることを特徴とする請求項４記載の液晶表示装置。
【請求項６】
前記画素行Ｙｊはｍ／２の画素行よりも前記画素行Ｙ１寄りに位置していることを特徴とする請求項５記載の液晶表示装置。
【請求項７】
複数の液晶パネルを継ぎ合わせた液晶表示装置において、
一対の基板を貼り合せて、同じ大きさの画素を複数有している前記液晶パネルは、隣り合う前記画素を寄せ集め、それぞれ前記画素の数が同じとなっている画素群を形成すると共に、縦方向に伸びる画素群列Ｘ´１、Ｘ´２、・・・、Ｘ´ｎと横方向に伸びる画素群行Ｙ´１、Ｙ´２、・・・、Ｙ´ｍを形成しており、
前記液晶パネルを継ぎ合わせる側の側面に最も近い前記画素群列をＸ´１、最も遠い前記画素群列をＸ´ｎとし、前記画素群列Ｘ´１から継ぎ合わせる側の側面までの幅をｇとすると、
前記画素群列Ｘ´１と隣り合う画素群列Ｘ´２との幅は略２ｇとなっていると共に、前記画素群列Ｘ´１から前記画素群列Ｘ´ｎに向かうにつれて画素群列間の幅が短くなっていくことを特徴とする液晶表示装置。
【請求項８】
前記液晶パネルを継ぎ合わせる側の側面付近において、前記画素群列間の幅は前記画素群列Ｘ´１から前記画素群列Ｘ´ｉ（１＜ｉ＜ｎ）に向かうにつれて短くなっており、前記画素群列Ｘ´ｉから前記画素群列Ｘ´ｎまでは一定であることを特徴とする請求項７記載の液晶表示装置。
【請求項９】
前記画素群列Ｘｉはｎ／２の画素群列よりも前記画素群列Ｘ１寄りに位置していることを特徴とする請求項８記載の液晶表示装置。
【請求項１０】
複数の液晶パネルを継ぎ合わせた液晶表示装置において、一対の基板を貼り合せて、同じ大きさの画素を複数有している前記液晶パネルは、隣り合う前記画素を寄せ集め、それぞれ前記画素の数が同じとなっている画素群を形成すると共に、縦方向に伸びる画素群列Ｘ´１、Ｘ´２、・・・、Ｘ´ｎと横方向に伸びる画素群行Ｙ´１、Ｙ´２、・・・、Ｙ´ｍを形成しており、
前記液晶パネルを継ぎ合わせる側の側面に最も近い前記画素群行をＹ´１、最も遠い前記画素群行をＹ´ｍとし、前記画素群行Ｙ´１から継ぎ合わせる側の側面までの幅をｇ´とすると、
前記画素群行Ｙ´１と隣り合う画素群行Ｙ´２との幅は略２ｇ´となっていると共に、前記画素群行Ｙ´１から前記画素群行Ｙ´ｍに向かうにつれて画素群行間の幅が短くなっていくことを特徴とする液晶表示装置。
【請求項１１】
前記液晶パネルを継ぎ合わせる側の側面付近において、前記画素群行間の幅は前記画素群行Ｙ´１から前記画素群行Ｙ´ｊ（１＜ｊ＜ｍ）に向かうにつれて短くなっており、前記画素群行Ｙ´ｊから画素群行Ｙ´ｍまでは一定であることを特徴とする請求項１０記載の液晶表示装置。
【請求項１２】
前記画素群行Ｙｊはｍ／２の画素群行よりも前記画素群行Ｙ１寄りに位置していることを特徴とする請求項１１記載の液晶表示装置。
【発明の詳細な説明】
【０００１】
【発明の属する技術分野】
本発明は液晶パネルを複数継ぎ合わせて用いた液晶表示装置に関し、特に液晶パネルを継ぎ合わせた際の継ぎ目を目立たなくしたものである。
【０００２】
【従来の技術】
近年大型の表示装置に対する需要がますます拡大している。その中にあって、薄型化可能、低消費電力等様々な利点を有する液晶パネルを用いた大型の液晶表示装置に対する期待が特に高まっている。この大型の液晶表示装置に用いられている液晶パネルには、１枚の大型のガラス基板を用いて造られているものもある。しかし歩留まり等の点から、小型あるいは中型の液晶パネルを複数枚用いて、これらの液晶パネルを継ぎ合わせることにより１枚の大型液晶パネルが造られているものも多い。
【０００３】
【発明が解決しようとする課題】
図４は大型液晶パネル１を構成する４枚の液晶パネル２の内、とくに左下に位置する液晶パネル２を中心に拡大した平面図である。大型液晶パネル１は例えば対角４０インチの液晶パネル２を４枚継ぎ合わせてなる対角８０インチのパネルである。
【０００４】
図４に示すように液晶パネル２における隣り合う画素４との遮光領域の幅ｄ１、ｄ２、・・・、ｄｎは液晶パネル２全体にわたり常に等しく形成されている。すなわちｄ１＝ｄ２＝・・・＝ｄｎとなっている。
【０００５】
一方、液晶パネル２の継ぎ合わせ側に位置する側面を接続側面２ａとし、最も接続側面２ａに近い画素４から接続側面２ａまでの幅をｇとすると、大型液晶パネル１における液晶パネル２の継ぎ目部分での画素４間の幅だけがｇの２倍になる。ここでｄ１＝ｄ２＝・・・＝ｄｎ＝２ｇであれば大型パネル１全体において違和感のない表示が可能となる。
【０００６】
しかし、一対の透明基板を貼り合せて造る液晶パネル２においては、複数の画素４を囲むようにして、基板を貼り合せるためのシール材が塗布されている等の理由があり、継ぎ目部分における幅ｇを短くするのにも限界があり、通常ｇはｄ１、ｄ２、・・・、ｄｎより大きくなってしまう。
【０００７】
したがって、継ぎ目部分での画素４間の幅２ｇが画素４同士の間隔に比べると著しく大きくなってしまい、図５に示すように、大型液晶パネル１上に黒い十字のような感じで継ぎ目部分だけが認識され、非常に目立ってしまうという問題が生じる。
【０００８】
なお、継ぎ目部分での違和感を抑えるものとして、たとえば特開平８−１８４８５０が知られている。しかしこれは継ぎ目付近において画素自体の大きさを調整するものであるため、画素の大きさはパネル全体において均一ではない。
【０００９】
そこで、本発明は同じ大きさをした画素を有する液晶パネルを複数継ぎ合わせた液晶表示装置を造ったとしても、液晶パネル同士の継ぎ目が目立たず表示品位の高い液晶表示装置を提供することを目的とする。
【００１０】
【課題を解決するための手段】
本発明は、複数の液晶パネルを継ぎ合わせた液晶表示装置において、一対の基板を貼り合せてなる前記液晶パネルは同じ大きさの画素によって縦方向に伸びる画素列Ｘ１、Ｘ２、・・・、Ｘｎと横方向に伸びる画素行Ｙ１、Ｙ２、・・・、Ｙｍを形成しており、前記液晶パネルを継ぎ合わせる側の側面に最も近い前記画素列をＸ１、最も遠い前記画素列をＸｎとし、画素列Ｘ１から継ぎ合わせる側の側面までの幅をｇとすると、前記画素列Ｘ１と隣り合う画素列Ｘ２との幅は略２ｇとなっていると共に、前記画素列Ｘ１から前記画素列Ｘｎに向かうにつれて画素列間の幅が短くなっていくことを特徴とするものである。
【００１１】
また本発明は、前記液晶パネルを継ぎ合わせる側の側面付近において、前記画素列間の幅は前記画素列Ｘ１から前記画素列Ｘｉ（１＜ｉ＜ｎ）に向かうにつれて短くなっており、前記画素列Ｘｉから画素列Ｘｎまでは一定であることを特徴とする液晶表示装置である。
【００１２】
また本発明は、前記画素列Ｘｉはｎ／２の画素列よりも前記画素列Ｘ１寄りに位置していることを特徴とする液晶表示装置である。
【００１３】
また本発明は、複数の液晶パネルを継ぎ合わせた液晶表示装置において、一対の基板を貼り合せてなる前記液晶パネルは同じ大きさの画素によって縦方向に伸びる画素列Ｘ１、Ｘ２、・・・、Ｘｎと横方向に伸びる画素行Ｙ１、Ｙ２、・・・、Ｙｍを形成しており、前記液晶パネルを継ぎ合わせる側の側面に最も近い前記画素行をＹ１、最も遠い前記画素行をＹｍとし、前記画素行Ｙ１から継ぎ合わせる側の側面までの幅をｇ´とすると、前記画素行Ｙ１と隣り合う画素行Ｙ２との幅は略２ｇ´となっていると共に、前記画素行Ｙ１から前記画素行Ｙｍに向かうにつれて画素行間の幅が短くなっていくことを特徴とするものである。
【００１４】
また本発明は、前記液晶パネルを継ぎ合わせる側の側面付近において、前記画素行間の幅は前記画素行Ｙ１から前記画素行Ｙｊ（１＜ｊ＜ｍ）に向かうにつれて短くなっており、前記画素行Ｙｊから画素行Ｙｍまでは一定であることを特徴とする液晶表示装置である。
【００１５】
また本発明は、Ｔ前記画素行Ｙｊはｍ／２の画素行よりも前記画素行Ｙ１寄りに位置していることを特徴とする液晶表示装置である。
【００１６】
また本発明は、複数の液晶パネルを継ぎ合わせた液晶表示装置において、一対の基板を貼り合せて、同じ大きさの画素を複数有している前記液晶パネルは、隣り合う前記画素を寄せ集め、それぞれ前記画素の数が同じとなっている画素群を形成すると共に、縦方向に伸びる画素群列Ｘ´１、Ｘ´２、・・・、Ｘ´ｎと横方向に伸びる画素群行Ｙ´１、Ｙ´２、・・・、Ｙ´ｍを形成しており、前記液晶パネルを継ぎ合わせる側の側面に最も近い前記画素群列をＸ´１、最も遠い前記画素群列をＸ´ｎとし、前記画素群列Ｘ´１から継ぎ合わせる側の側面までの幅をｇとすると、前記画素群列Ｘ´１と隣り合う画素群列Ｘ´２との幅は略２ｇとなっていると共に、前記画素群列Ｘ´１から前記画素群列Ｘ´ｎに向かうにつれて画素群列間の幅が短くなっていくことを特徴とするものである。
【００１７】
また本発明は、前記液晶パネルを継ぎ合わせる側の側面付近において、前記画素群列間の幅は前記画素群列Ｘ´１から前記画素群列Ｘ´ｉ（１＜ｉ＜ｎ）に向かうにつれて短くなっており、前記画素群列Ｘ´ｉから前記画素群列Ｘ´ｎまでは一定であることを特徴とする液晶表示装置である。
【００１８】
また本発明は、前記画素群列Ｘｉはｎ／２の画素群列よりも前記画素群列Ｘ１寄りに位置していることを特徴とする液晶表示装置である。
【００１９】
また本発明は、複数の液晶パネルを継ぎ合わせた液晶表示装置において、一対の基板を貼り合せて、同じ大きさの画素を複数有している前記液晶パネルは、隣り合う前記画素を寄せ集め、それぞれ前記画素の数が同じとなっている画素群を形成すると共に、縦方向に伸びる画素群列Ｘ´１、Ｘ´２、・・・、Ｘ´ｎと横方向に伸びる画素群行Ｙ´１、Ｙ´２、・・・、Ｙ´ｍを形成しており、前記液晶パネルを継ぎ合わせる側の側面に最も近い前記画素群行をＹ´１、最も遠い前記画素群行をＹ´ｍとし、前記画素群行Ｙ´１から継ぎ合わせる側の側面までの幅をｇ´とすると、前記画素群行Ｙ´１と隣り合う画素群行Ｙ´２との幅は略２ｇ´となっていると共に、前記画素群行Ｙ´１から前記画素群行Ｙ´ｍに向かうにつれて画素群行間の幅が短くなっていくことを特徴とするものである。
【００２０】
また本発明は、前記液晶パネルを継ぎ合わせる側の側面付近において、前記画素群行間の幅は前記画素群行Ｙ´１から前記画素群行Ｙ´ｊ（１＜ｊ＜ｍ）に向かうにつれて短くなっており、前記画素群行Ｙ´ｊから画素群行Ｙ´ｍまでは一定であることを特徴とする液晶表示装置である。
【００２１】
また本発明は、前記画素群行Ｙｊはｍ／２の画素群行よりも前記画素群行Ｙ１寄りに位置していることを特徴とする液晶表示装置である。
【００２２】
【発明の実施の形態】
以下、本発明の一実施形態について図面を用いて説明する。図１は本発明の液晶表示装置に用いられる大型液晶パネル１０を構成する４枚の液晶パネル１１の内、左下に位置する液晶パネル１１を中心に示した平面図である。大型液晶パネル１０は具体的には対角８０インチのものであり、液晶パネル１１を継ぎ合わせて造られている。
【００２３】
液晶パネル１１は一対の透明基板をシール材によって貼り合わせ、両基板間に液晶を注入して造られたものである。液晶パネル１１にはＲ（赤）、Ｇ（緑）、Ｂ（青）のカラーフィルターを備えた３つのサブ画素（図示せず）により構成されている画素１２が、一定の間隔を空けて複数形成されている。液晶パネル１１に形成されている画素１２は皆同じ大きさをしている。画素１２の周りはブラックマトリクスからなる遮光領域が形成されており、この遮光領域により液晶パネル１１の背後に配置されるバックライト（図示せず）からの光は遮光される。また液晶パネル１１の大きさは対角４０インチをしており、縦方向の画素１２の数３８４、横方向の画素１２の数６４０となっている。この液晶パネル１１の継ぎ合わせ側に位置する接続側面１１ａにおいて、隣り合う液晶パネル１１と接着剤等により継ぎ合わせる。
【００２４】
縦の方向に伸びる画素１２の画素列をＸ１、Ｘ２、・・・、Ｘ６４０（ｎ＝６４０）とし、この画素列と平行な接続側面１１ａに最も近い画素列をＸ１、その反対側に位置する最もその接続側面１１ａから遠い画素列をＸ６４０とする。また隣り合う画素列間の幅、つまり画素１２の一辺から隣り合う画素１２の一辺までの遮光領域の幅をｄｘ１、ｄｘ２、・・・、ｄｘ６３９とすると、画素列Ｘ１と隣り合う画素列Ｘ２間の幅はｄｘ１、画素列Ｘ６４０と隣り合う画素列Ｘ６３９間の幅はｄｘ６３９となる。また画素列Ｘ１と接続側面１１ａまでの遮光領域の幅をｇとする。
【００２５】
本実施形態において、隣り合う液晶パネル１１における両Ｘ１間の幅はｇの２倍となり、これが液晶パネル１１同士を継ぎ合わせた際の継ぎ目部分における遮光領域の幅となる。またｄｘ１は継ぎ目部分の２ｇより若干短いか又は略同じになっている。またｄｘ１とｄｘ６３９とはｄｘ１＞ｄｘ６３９となっている。そして画素列間の幅ｄｘ１、ｄｘ２、・・・、ｄｘ６３９はｄｘ１＞ｄｘ２＞・・・＞ｄｘ６３９となっており、画素列Ｘ１からＸ６４０の方向に向かうにつれて、徐々にその幅を縮めていくように変化している。
【００２６】
このように、継ぎ目部分の幅２ｇとその隣における画素列間の幅ｄｘ１とが略等しいと共に、画素列間の幅ｄｘ１、ｄｘ２、・・・、ｄｘ６３９が徐々に縮まっていくことにより、大型液晶パネル１０において十字状に生じる継ぎ目部分の内、縦方向に伸びる継ぎ目は徐々に変化して行く画素列間の幅により目立たなくなる。
【００２７】
また、横の方向に伸びる画素１２の画素行をＹ１、Ｙ２、・・・、Ｙ３８４（ｍ＝３８４）とし、この画素行に平行な接続側面１１ａに最も近い画素行をＹ１、その反対側に位置する最もその接続側面１１ａから遠い外側の画素行をＹ３８４とする。また隣り合う画素行間の幅、つまり画素１２の一辺から隣り合う画素１２の一辺までの遮光領域の幅をｄｙ１、ｄｙ２、・・・、ｄｙ３８３とすると、画素行Ｙ１と隣り合う画素行Ｙ２間の幅はｄｙ１、画素行Ｙ３８４と隣り合う画素行Ｙ３８３間の幅はｄｙ３８３となる。また画素行Ｙ１と接続側面１１ａまでの遮光領域の幅をｇ´とする。
【００２８】
本実施形態において、隣り合う液晶パネル１１における両Ｙ１間の幅はｇ´の２倍となり、これが液晶パネル１１同士を継ぎ合わせた際の継ぎ目部分における遮光領域の幅となる。またｄｙ１は継ぎ目部分の２ｇ´より若干短いか又は略同じになっている。またｄｙ１とｄｙ３８３とはｄｙ１＞ｄｙ３８３となっている。そして画素行間の幅ｄｙ１、ｄｙ２、・・・、ｄｙ３８３はｄｙ１＞ｄｙ２＞・・・＞ｄｙ３８３となっており、画素行Ｙ１からＹ３８４の方向に向かうにつれて、徐々にその幅を縮めていくように変化している。
【００２９】
このように、継ぎ目部分の幅２ｇ´とその隣における画素行間の幅ｄｙ１とが略等しいと共に、画素行間の幅ｄｙ１、ｄｙ２、・・・、ｄｙ３８３が徐々に縮まっていくことにより、大型液晶パネル１０において十字状に生じる継ぎ目部分の内、横方向に伸びる継ぎ目は徐々に変化して行く画素行間の幅により目立たなくなる。
【００３０】
図１の実施形態において、具体的にはｇ、ｇ´が約０．５ｍｍであり、ｄｘ１、ｄｙ１が約１．０ｍｍであり、ｄｘ６３９、ｄｙ３８３が約０．５ｍｍとなっている。したがって画素列間の幅ｄｘ１、ｄｘ２、・・・、ｄｘ６３９はＸ１からＸ６４０に向かうにつれて１．０ｍｍから０．５ｍｍへとその幅を徐々に縮めて、また画素行間の幅ｄｙ１、ｄｙ２、・・・、ｄｙ３８３は画素行Ｙ１からＹ３８４に向かうにつれて１．０ｍｍから０．５ｍｍへとその幅を徐々に縮めている。
【００３１】
なお、本実施形態おいては画素列間、画素行間の幅は徐々に短くなっているが、これは例えば画素列、画素行をいくつかに区切り、その区間の間においては画素列間、画素行間の幅を等しくし、区切りとなるところで画素列間、画素行間の幅を縮めるような場合も含まれる。またｄｘ６３９、ｄｙ３８３がｇ、ｇ´と等しくなっているが、ｄｘ６３９、ｄｙ３８３はｇ、ｇ´より短くても構わない。
【００３２】
次に、本発明の他の実施形態について図２を用いて説明する。図２は図１と同様大型液晶パネル１０を構成する４枚の液晶パネル１１の内、左下に位置する液晶パネル１１を中心に示した平面図である。なお図１と同様のものについては説明を省略すると共に同じ符号を付している。
【００３３】
図２の実施形態が図１の実施形態と異なっているのは、画素列Ｘ１からＸ６４０に向かうにつれて画素列間の幅ｄｘ１、ｄｘ２、・・・、ｄｘ６３９は短くなっているが、画素列間の幅が変化するのは画素列Ｘ１からＸ６４０の間総てにわたっているのではなく、画素列Ｘ１から途中のＸ３０（ｉ＝３０）の間までである。したがって画素列の幅ｄｘ１、ｄｘ２、・・・、ｄｘ３０、・・・、ｄｘ６３９はｄｘ１＞ｄｘ２＞・・・＞ｄｘ３０＝・・・＝ｄｘ６３９となっており、画素列Ｘ３０からＸ６４０までは、隣り合う画素列の幅ｄｘ３０、ｄｘ３１、・・・、ｄｘ６３９が一定となっている。
【００３４】
また、画素行Ｙ１からＹ３８４に向かうにつれて画素行間の幅ｄｙ１、ｄｙ２、・・・、ｄｙ３８３は短くなっているが、画素行間の幅が変化するのは画素行Ｙ１（ｊ＝３０）からＹ３８４の間総てにわたっているのではなく、画素行Ｙ１から途中のＹ３０の間までである。したがって画素行の幅ｄｙ１、ｄｙ２、・・・、ｄｙ３０、・・・、ｄｙ３８３はｄｙ１＞ｄｙ２＞・・・＞ｄｙ３０＝・・・＝ｄｙ３８３となっており、画素行Ｙ３０からＹ３８４までは、隣り合う画素行の幅ｄｙ３０、ｄｙ３１、・・・、ｄｙ３８３が一定となっている。
【００３５】
このように、液晶パネル１１の継ぎ目付近では画素列間の幅と、画素行間の幅を徐々に縮めていき、継ぎ目から十分に離れたところではその幅を一定のままにすることによって、大型液晶パネル１０全体における開口率の変化を抑えることが出来る。
【００３６】
つまり、画素列間の幅ｄｘ１、ｄｘ２、・・・、ｄｘ６３９と画素行間の幅ｄｙ１、ｄｙ２、・・・、ｄｙ３８３を液晶パネル１１全体にわたって変えていく図１の実施形態の場合には、大型液晶パネル１０の中心から４隅に向かって画素１２同士の間隔は狭くなり遮光領域が減少するため、一定範囲内の画素１２の数は４隅に向かうほど増えることになる。したがって大型液晶パネル１０の中心から４隅に渡って一定範囲内における開口率が変化していく。
【００３７】
一方、図２の実施形態の場合には、大型液晶パネル１０の継ぎ目付近においては開口率が変化するが、継ぎ目付近から離れ画素列の幅と画素行の幅が一定となったところでは、一定範囲内の画素の数は同じままなのでそこでは開口率は変化しない。
【００３８】
図２に示す実施形態において、具体的には画素列Ｘ１、画素行Ｙ１から画素列Ｘ３０、画素行Ｙ３０までの画素列間、画素行間の幅を１．０ｍｍから０．５ｍｍへと徐々に短くして、そこから画素列Ｘ６４０、画素行Ｙ３８４までは画素列間、画素行間の幅を約０．５ｍｍのままとしている。特に画素列、画素行共に画素列間、画素行間の幅が変化するのは真ん中の画素列Ｘ３２０、真ん中の画素行Ｙ１９２よりも接続側面１１ａ寄りであるため、大型液晶パネル１０における開口率の変化は少ない。
【００３９】
なお、本実施形態おいては画素列Ｘ３０、画素行Ｙ３０までの画素列、画素行間の幅は徐々に短くなっているが、これは例えば画素列Ｘ３０、画素行Ｙ３０までをいくつかに区切り、その区間の間においては画素列間、画素行間の幅を等しくし、区切りとなるところで画素列間、画素行間の幅を縮めるような場合も含まれる。
【００４０】
次に、本発明の他の実施形態について図３を用いて説明する。図３は図１、図２と同様大型液晶パネル１０を構成する４枚の液晶パネル１１の内、左下に位置する液晶パネル１１を中心に示した平面図である。なお図１、図２と同様のものについては説明を省略すると共に同じ符号を付している。
【００４１】
図３は液晶パネル１１において画素群１２０を形成している。画素群１２０はそれぞれにおける画素１２の数を同じにして、隣り合う画素１２を寄せたものであり、画素群１２０においては画素１２同士の間隔が狭くなっている。本実施形態において１つの画素群１２０は隣り合った縦方向の２つの画素１２、横方向の２つの画素１２の計４つの画素からなっているが、これに限定されるものではなく、たとえば縦に１つ、横に２つからなる２つの画素１２の画素群１２０であっても良い。画素群１２０自体は液晶パネル１１全体において総て同じ大きさをしている。
【００４２】
縦の方向に伸びる画素群１２０の画素群列はＸ´１、Ｘ´２、・・・、Ｘ´３２０（ｎ＝３２０）であり、この画素群列と平行な接続側面１１ａに最も近い画素群列をＸ´１、最も遠い画素群列をＸ´３２０とする。また隣り合う画素群列間の幅はｄｘ´１、ｄｘ´２、・・・、ｄｘ´３１９である。本実施形態において画素群列間の幅ｄｘ´１、ｄｘ´２、・・・、ｄｘ´３１９を画素群列Ｘ´１からＸ´３２０の方向に向かうにつれて、徐々にその幅を縮めていくように変化している。
【００４３】
このように、隣り合う画素１２を一定数ずつ寄せ集めた画素群１２０を形成すると共に、画素群列間の幅ｄｘ´１、ｄｘ´２、・・・、ｄｘ´３１９が徐々に縮まっていくことにより、大型液晶パネル１０において十字状に生じる継ぎ目部分の内、縦方向に伸びる継ぎ目は徐々に変化して行く画素群列間の幅により目立たなくなると共に、図１、図２に示す実施形態に比べ液晶パネル１０全体における開口率の低下を抑えることが出来る。
【００４４】
また、横の方向に伸びる画素群１２０の画素群行はＹ´１、Ｙ´２、・・・、Ｙ´１９２であり、この画素群行に平行な接続側面１１ａに最も近い画素群行をＹ´１、最も遠い画素群行をＹ´１９２とする。また隣り合う画素群行間の幅はｄｙ´１、ｄｙ´２、・・・、ｄｙ´１９１である。本実施形態において画素群行間の幅ｄｙ´１、ｄｙ´２、・・・、ｄｙ´１９１を画素群行Ｙ´１からＹ´１９２の方向に向かうにつれて、徐々にその幅を縮めていくように変化している。
【００４５】
このように、隣り合う画素１２を一定数ずつ寄せ集めた画素群１２０を形成すると共に、画素群行間の幅ｄｙ´１、ｄｙ´２、・・・、ｄｙ´１９１が徐々に縮まっていくことにより、大型液晶パネル１０において十字状に生じる継ぎ目部分の内、横方向に伸びる継ぎ目は徐々に変化して行く画素群行間の幅により目立たなくなると共に、図１、図２に示す実施形態に比べ液晶パネル１０全体における開口率の低下を抑えることが出来る。
【００４６】
なお、本発明の要旨を逸脱しない範囲であれば上記実施形態以外の形態も可能である。上記実施形態では、液晶パネル１１の縦方向と横方向において画素列と画素行の幅を共に変えているが、どちらか一方だけを変えて、他方は変えないようにしてもよい。大型の液晶表示装置の場合にはその用途により、たとえば視聴者が下から見上げるようにして使われることも有り、この場合縦方向の継ぎ目は目立つが横方向はあまり気にならないこともあり得る。そのような時には縦方向における画素列間の幅だけを変えて、横方向における画素行間の幅は変えないようにしてもよい。
【００４７】
また、上記実施形態では画素１２をＲ（赤）、Ｇ（緑）、Ｂ（青）の３つのサブ画素により構成しているが、画素１２を例えばＲ（赤）、Ｇ（緑）、Ｂ（青）、Ｒ（赤）、Ｇ（緑）、Ｂ（青）と３つのサブ画素を繰り返した６つのサブ画素から構成されるように、もっと多くのサブ画素により構成したものでもよい。
【００４８】
【発明の効果】
以上のように本発明によれば、接続端面に最も近い画素列と隣り合う画素列との間の幅を液晶パネルを継ぎ合わせた際の継ぎ目部分の幅と略等しくすると共に、接続端面から離れるにしたがって画素列間の幅を短くしていくため、従来の液晶表示装置のように継ぎ目部分だけが目立ってしまうようなことはなく、継ぎ目による違和感の発生を抑えた液晶表示装置を提供することが可能となる。
【図面の簡単な説明】
【図１】本発明の第１の実施形態を示した液晶パネルの平面図である。
【図２】本発明の第２の実施形態を示した液晶パネルの平面図である。
【図３】本発明の第３の実施形態を示した液晶パネルの平面図である。
【図４】従来の液晶パネルを継ぎ合わせてなる大型液晶パネルの平面図である。
【図５】従来の液晶パネルの平面図である。
【符号の説明】
１０　大型液晶パネル
１１　液晶パネル
１１ａ　接続側面
１２　画素
Ｘｎ　画素列
Ｙｍ　画素行
【図１】
2004037744.tif 000003
【図２】
2004037744.tif 000004
【図３】
2004037744.tif 000005
【図４】
2004037744.tif 000006
【図５】
2004037744.tif 000007